(57)【要約】【課題】施解錠を検知できる開口部装置を提供する。【解決手段】本発明にかかる開口部装置１は、開口部建材１Ａ、コントローラ５３を備え、開口部建材１Ａは、錠３と施解錠検知部３５を有し、コントローラ５３は、制御部５３ｅと通信部５３ｆを有し、施解錠検知部３５は、錠３の施解錠状態を制御部５３ｅに送信するものであり、制御部５３ｅは、錠３が所定時間内に操作された回数又は変化の有無を所定時間ごとに判断し、判断結果を通信部５３ｆから通信端末５９に送信する。【選択図】図５
2020159182.tif 000002
【特許請求の範囲】
【請求項１】
開口部建材と、コントローラを備え、
開口部建材は、錠と施解錠検知部を有し、
コントローラは、制御部と通信部を有し、
施解錠検知部は、錠の施解錠状態を制御部に送信するものであり、
制御部は、錠が所定時間内に操作された回数又は変化の有無を所定時間ごとに判断し、判断結果を通信部から通信端末に送信することを特徴とする開口部装置。
【発明の詳細な説明】
【技術分野】
【０００１】
本発明は、窓やドア等の開口部建材とコントローラを備える開口部装置に関する。
【背景技術】
【０００２】
引き違い窓等の開口部建材では、クレセント等の錠で施解錠することが知られており、施解錠を検知できるものが求められていた。
【発明の概要】
【発明が解決しようとする課題】
【０００３】
そこで、本発明は、開口部建材の施解錠を検知できる開口部装置の提供を目的とする。
【課題を解決するための手段】
【０００４】
請求項１に記載の発明は、開口部建材と、コントローラを備え、開口部建材は、錠と施解錠検知部を有し、コントローラは、制御部と通信部を有し、施解錠検知部は、錠の施解錠状態を制御部に送信するものであり、制御部は、錠が所定時間内に操作された回数又は変化の有無を所定時間ごとに判断し、判断結果を通信部から通信端末に送信することを特徴とする開口部装置である。
【発明の効果】
【０００５】
請求項１に記載の発明によれば、錠の施解錠を検知できる。  
コントローラは、所定時間内に施解錠操作された回数又は変化の有無を所定時間ごと判断して判断結果を通信端末に送信するので、通信端末保持者は常時正確な施解錠状態や居住者に異常がないか等の状態を把握できる。
【図面の簡単な説明】
【０００６】
【図１】本発明の第１実施形態であって、カバーを台座に取り付けた状態のクレセント（錠）が施錠状態にあるときの図であり、（ａ）は正面図、（ｂ）は左側面図、（ｃ）は取り付け面側から見た底面図である。
【図２】本発明の第１実施形態であって、カバーを台座に取り付けた状態であってクレセント（錠）が解錠状態にあるときの図であり、（ａ）は正面図、（ｂ）は左側面図、（ｃ）は取り付け面側から見た底面図である。
【図３】本発明の第１実施形態であって、カバーを台座に装着前の状態を示すクレセント（錠）の側面図である。
【図４】本発明の第１実施形態であって、窓を室内側から見た正面図であり、（ａ）はクレセント（錠）の施錠状態、（ｂ）はクレセント（錠）の解錠状態である。
【図５】本発明の第１実施形態であって、クレセント（錠）の施解錠を管理する管理システムの構成を示すブロックである。
【図６】本発明の第１実施形態であって、管理システムの制御の流れを示すフローチャートである。
【図７】本発明の第１実施形態であって、制御部において居住者の状態を判断するフローチャートである。
【図８】本発明の第１実施形態であって、コントローラを配置した家の間取り図である。
【図９】本発明の第２実施形態であって、ドア錠（錠）の施解錠を管理する管理システムの構成を示すブロックである。
【図１０】本発明の第２実施形態であって、管理システムの制御の流れを示すフローチャートである。
【図１１】本発明の第２実施形態であって、コントローラを配置した家の間取り図である。
【図１２】本発明の第３実施形態であって、クレセント（錠）及びドア電気錠（錠）の施解錠を管理する管理システムの構成を示すブロックである。
【図１３】本発明の第３実施形態であって、管理システムの制御の流れを示すフローチャートである。
【図１４】本発明の第３実施形態であって、コントローラを配置した家の間取り図である。
【発明を実施するための形態】
【０００７】
以下に、添付図面を参照して、本発明の実施形態を説明するが、まず、図１〜図８を参照して本発明の第１実施形態について説明する。  
図８に示すように、第１実施の形態にかかる開口部装置１は、窓（開口部建材）１Ａとコントローラ５３とを備えている。図１に示すように、窓１Ａは、クレセント（錠）３と、カバー６と、コントローラ５３（図８参照）とを備えている。図４（ａ）（ｂ）に示すように、開口部建材１は、引き違い窓であり、引き違い窓の内障子２の召合せ框２ａの側面にクレセント（錠）３が取り付けてあり、外障子４の召合せ框４ａには、クレセント３で施錠するための受け１７（後述する）が取り付けてある。  
図１に示すように、クレセント（錠）３は、台座１１と、操作部１３とを備えている。
【０００８】
図３に示すように、台座１１は、台座本体１１ａと、一方側ネジ止め部２１ａ及び他方側ネジ止め部２１ｂとを有し、台座本体１１ａには操作部１３が上下に回動自在（矢印Ｅ参照）に取り付けてある。一方側ネジ止め部２１ａは台座本体１１ａから一方側（下方側）に突出しており、他方側ネジ止め部２１ｂは台座本体１１ａから他方側（上方側）に突出して台座本体１１ａに一体に形成されている。一方側ネジ止め部２１ａは一方側ネジ１９ａで内召合せ框２ａに止めてあり、他方側ネジ止め部２１ｂは他方側ネジ１９ｂで内召合せ框２ａに止めてある。一方側ネジ止め部２１ａと他方側ネジ止め部２１ｂとは、共に略直方体形状を成しており、対応するネジ１９ａ、１９ｂの軸を挿通する長孔２３が形成してあると共に対応するネジ１９ａ、１９ｂの頭を収める凹み２５が形成されている。
【０００９】
操作部１３には、先端部にマグネット１６が設けてあり、基端部が台座１１に回動自在に取り付けてあり、先端部を下に向けた位置（図２参照）から上に向けた位置（図１参照）へ１８０度回動させることで、下に位置する解錠位置から上に位置する施錠位置へ操作するものである。  
この操作部１３は、下から上に向けて１８０度回動させることで（矢印Ｅ）、掛け金１５を外障子４の召合せ框４ａに設けてある受け１７に掛けて、内障子２と外障子４を締め付けて施錠する。
【００１０】
図１に示すように、カバー６は、台座１１に取り付けるものであり、マグネットセンサ（施開錠検知部）３５と、通信制御部３７を備えている。また、カバー６は、一方側カバー５と、他方側カバー７とで構成されている。  
一方側カバー５は、台座１１を止める一方側ネジ１９ａを隠している。この一方側カバー５は、上面と右側面が開口した四角筒形状を成しており、左側壁３１ａ、室内側壁３１ｂ、室外側壁３１ｃ及び下壁３１ｄを有し、これらの各壁が一方側ネジ止め部２１ａの対応する面に対向することで、一方側ネジ止め部２１ａの周囲を覆っている。  
図１（ｃ）に示すように、一方側カバー５の右側面の開口の周囲には、輪郭部３３が設けてあり、輪郭部３３に設けた粘着剤で内召合せ框２ａに固定してある。粘着剤は例えば、両面テープである。
【００１１】
他方側カバー７は、係合部４７と、マグネットセンサ（施開錠検知部）３５と、通信制御部３７とを有しており、この他方側カバー７には、マグネットセンサ収納部４１、通信制御部収納部４３と、アンテナ収納部４５と、係合部４７とが一体に形成されている。  
各収納部４１、４３、４５及び係合部４７は、対応する右側面側を開口４１ａ、４３ａ、４５ａ、４７ａとした凹みであり、マグネットセンサ収納部４１、通信制御部収納部４３と、アンテナ収納部４５には、各開口４１ａ、４３ａ、４５ａからそれぞれ対応するマグネットセンサ３５、通信制御部３７及びアンテナ３９が収納してある。互いに隣合う各開口４１ａ、４３ａ、４５ａは区画壁４８により区画されている。
【００１２】
係合部４７は、下面と右側面が開口した略四角筒形状を成しており、左側壁４７ａ、室内側壁４７ｂ、室外側壁４７ｃ及び上壁４７ｄを有し、これらの各壁４７ａ、４７ｂ、４７ｃ、４７ｄが他方側ネジ止め部２１ｂに対応する面に対向することで、他方側ネジ止め部２１ｂに係合して、他方側ネジ１９ｂを隠している。  
図１（ａ）に示すように、係合部４７を、他方側ネジ止め部２１ｂに係合したときに、操作部１３が施錠状態にあるときのマグネット１６の位置に対応する位置となるようにマグネットセンサ３５の位置が位置決めされる。即ち、係合部４７が他方側ネジ止め部２１ｂに係合することで、マグネットセンサ３５が操作部１３に設けたマグネット１６と対向する位置に位置決めされる。  
図１（ｃ）に示すように、他方側カバー７は、その右側面の各開口４１ａ、４３ａ、４５ａの周囲にある面及び係合部４７の周囲にある面に設けた粘着剤で内召合せ框２ａに固定してある。粘着剤は例えば、両面テープである。  
図１（ｂ）及び図２（ｂ）に符号４０で示すのは、太陽電池であり、通信制御部３７に接続されて通信制御部３７に駆動電流を供給している。  
マグネットセンサ３５は、操作部１３のマグネット１６の位置から施解錠状態を検知するものであり、通信制御部３７に接続してあると共にアンテナ３９に接続してある。
【００１３】
通信制御部３７は、マグネットセンサ（施解錠検知部）３５の検知結果をコントローラ５３（図５参照）に送信するものであり、マグネットセンサ（施解錠検知部）３５は、通信制御部３７を介して、施解錠状態が変わったとき及び所定時間ごとに施解錠状態を送信している。マグネットセンサ（施解錠検知部）３５及び通信制御部３７の詳しい制御については後述する。
【００１４】
次に、カバー６の取り付けについて説明する。  
図１に示すように、操作部１３の先端部を他方側にしてクレセント３を施錠状態にして、一方側カバー５の輪郭部３３（図１（ｃ）参照）に粘着剤を付け、一方側カバー５を、一方側ネジ止め部２１ａ（図３参照）に被せるようにして係合する。  
次に、図２に示すように、操作部１３の先端部を一方側にしてクレセント３を解錠状態にして、他方側カバー７の各開口４１ａ、４３ａ、４５ａの周囲にある面及び係合部４７の周囲にある面（図２（ｃ）参照）に粘着剤を付け、他方側カバー７の係合部４７を他方側ネジ止め部２１ｂに被せるようにして係合する。
【００１５】
次にクレセント（錠）３の操作について説明する。  
図２に示すように、操作部１３の先端部が下方にあるときには、クレセント３は解錠状態にあり、内障子２及び外障子４が開閉自在である（図４（ｂ）参照）。このクレセントの解錠状態ではマグネットセンサ３５は、マグネット１６を検知しないので通信制御部３７では、解錠信号を発信する。  
図２に示す操作部１３の先端部を下方位置から上方に向けて回動し、図１に示すように、操作部１３の先端部を上方位置にしたときには、クレセント３は施錠状態になり、内障子２及び外障子４を締め付けて施錠する（図４（ａ）参照）。このクレセント３の施錠状態ではマグネットセンサ３５は、マグネット１６を検知するので通信制御部３７では、施錠信号を発信する。
【００１６】
次に、戸締り管理システム５１について説明する。  
図５に示すように、戸締り管理システム５１は、窓の施解錠検知部（マグネットセンサ）３５及び通信制御部３７と、コントローラ５３と、Ｗｉ−Ｆｉルータ５５と、管理サーバ５７とから構成されている。管理サーバ５７は通信回路を介して通信端末５９及びサービスサーバ６１に通信により接続されている。  
コントローラ５３は窓の施解錠検知部３５と、通信制御部３７を介して無線により接続されており、コントローラ５３は、Ｗｉ−Ｆｉルータ５５を介して宅外に設置されている管理サーバ５７に通信回線を介して相互に接続されている。  
コントローラ５３は、クレセント（錠）３が解錠状態にあるのか施錠状態にあるのかを記録する施解錠状態記録部５３ａと、施解錠状態が変わった回数を記録する施解錠回数記録部５３ｂと、タイマー５３ｃと、制御部５３ｅと、通信部５３ｆを備えている。  
制御部５３ｅでは、施解錠状態の変化の有無による居住者の状態を判断する。ここで、図７を参照して、居住者の状態の判断フローについて説明する。
【００１７】
ステップＳ２１で、各部屋のクレセント（錠）３の少なくとも一つ（リビングのテラス窓を含む）について、施錠又は解錠操作されたか否かを判断し、施錠又は解錠操作されると、ステップＳ２２で操作回数に「１」を加算してステップＳ２３へ移行する。一方、ステップＳ２１で、いずれの部屋のクレセント（錠）３も施錠又は解錠操作がされていない場合には、ステップＳ２３に移行する。  
ステップＳ２３では、所定の設定日数を経過したか否かを判断し、設定日数を経過している場合には、ステップＳ２４に移行し、設定日数を経過していない場合には、居住者の状態判断フローを終了する。所定の設定日数は、任意の日数であるが、例えば、居住者に旅行等の宿泊を伴う外出の予定がない場合には、２日や３日である。設定に日数は、掃除や換気のため何日に一度は窓を開閉するか、例えば２日に一度は窓を開閉（クレセントを施解錠）することを確認して、２日に設定する。
【００１８】
ステップＳ２４では、施錠又は解錠の操作回数がゼロか否かを判断する。施錠又は解錠の操作が一回でも操作された場合には、操作回数がゼロでないので、ステップＳ２５に移行し、正常通知を通知した後、ステップＳ２６でステップＳ２２の操作回数をリセットする。  
一方、ステップＳ２４で、操作回数がゼロの場合には、居住者に異常があることを、施解錠情報（図１３のステップＳ４）として通知して、終了する。
【００１９】
図８に示すように、コントローラ５３は屋内に設けてあり、窓（開口部建材）１Ａの他に玄関ドアやその他の窓の開閉信号を受けて集中管理するものである。本実施の形態では、コントローラ５３は、リビングに設けてあり、本実施の形態にかかるクレセント（錠）３の他に、他の部屋の窓の施解錠検知部５４からも施解錠情報を受けて、屋内の集中管理を行っている。  
図５に示すように、管理サーバ５７は、戸締り管理システム５１を管理する管理会社のサーバであり、通信端末５９及びサービスサーバ６１に通信回路を介して相互に接続されている。  
通信端末５９は、住宅主等が保持するスマートフォンやモバイルノートパソコン等である。  
サービスサーバ６１は警備会社等のサーバである。
【００２０】
図６を参照して、戸締り管理システム５１の制御フローについて説明する。  
操作部１３の施錠又は解錠操作がされると、マグネットセンサ（施解錠検知部）３５はその検知状態が変化するので、ステップＳ１で、マグネットセンサ（施解錠検知部）３５が通信制御部３７を介してコントローラ５３に施解錠情報発信をする。施解錠情報発信は、施錠信号又は解錠信号の発信である。また、クレセントの通信制御部３７は、ステップＳ２で、状態の定時発信も行う。状態の定時発信は、予め設定された所定時にマグネットセンサ３５が受けている施錠信号又は解錠信号の発信である。  
定時発信を行う所定時は、家主や家族等からのヒアリングなどにより、通信端末の操作画面などから通知間隔を変更できる。また、家主や家族等が、過去操作状況から月や季節ごとに通知間隔を調整しても良い。更に、各窓１Ａの操作履歴を基に、年間や各月、季節毎、および時間毎の生活（操作）リズムを把握し、各窓１Ａ毎に適正な通知間隔を報告し設定間隔などを決定し又は変更しても良い。更に、自動で操作履歴データを分析し、適正な設定間隔に自動で調整するようにしても良い。
【００２１】
コントローラ５３では、ステップＳ３で施解錠情報を受信すると、ステップＳ４でその施解錠情報を管理サーバ５７に発信する。ステップＳ３及びステップＳ４の施解錠情報は、施解錠状態記録部５３ａ（図５参照）で記録されている現在の施解錠状態の他に、施解錠回数記録部５３ｂ（図５参照）で記録されている施解錠操作された回数や、施錠から解錠、解錠から施錠への操作があったか否かの情報及び居住者の状態判断結果（図７参照）の情報も有する。  
管理サーバ５７では、ステップＳ５でコントローラ５３から施解錠情報を受信すると、ステップＳ６でその施解錠情報を保存し、ステップＳ７で保存した施解錠状態の変更がないか否か判断し、変更がなければステップＳ８で終了し、変更があった場合には、ステップＳ９で通信端末５９及びサービスサーバ６１にクレセント３の施解錠に変更があったこと及び居住者の状態判断結果を通知する。
【００２２】
一方、ステップＴ１で、サービスサーバ６１からクレセントの施解錠状態の確認通知を受けると、管理サーバ５７はステップＴ２で、保存しているクレセントの施解錠情報（ステップＳ６参照）に基づいて施解錠状態を発信する。これにより、ステップＴ３でサービスサーバ６１はクレセントの施解錠状態を受信する。  
同様に、ステップＴ４で、通信端末５９からクレセントの施解錠状態の確認通知を受けると、管理サーバ５７はステップＴ２で、保存しているクレセントの施解錠情報（ステップＳ６参照）に基づいて施解錠状態を発信し、ステップＴ５で通信端末５９はその状態を受信する。
【００２３】
次に、本実施の形態にかかる窓１及びクレセント（錠）３の作用及び効果について説明する。  
図１及び図２に示すように、クレセント３（錠）は、操作部１３に設けたマグネット１６を他方側カバー７に設けたマグネットセンサ（施開錠検知部）３５で検知することで、クレセントが施錠状態にあるか解錠状態にあるかを検知できる。  
図６に示すように、マグネットセンサ（施解錠検知部）３５は通信制御部３７を介して、施解錠状態が変わったとき（ステップＳ１）及び所定時間毎（ステップＳ２）に施解錠状態を送信しており、コントローラ５３は、所定時間内に施解錠操作された回数又は変化の有無を所定時間ごとに通信端末５９に送信している（ステップＳ９）から、通信端末保持者５９は常時正確な施解錠状態を把握できる。  
コントローラ５３は、クレセントの施解錠状態に変化があったときに通信端末５９に送信している（ステップＳ９）から、通信端末保持者５９はクレセントの施解錠状態の変化を把握できるので、戸締り管理が安心である。
【００２４】
コントローラ５３の制御部５３ｅは、クレセントの施解錠状態に変化があったときに、図７に示すように居住者の状態が正常か異常かを判断し、その結果を通信端末５９（図５参照）に通知するので、通信端末５９を保有している家族や家主が、離れて暮らす祖父母や父母が日々変わりなく暮らしていることを、遠隔地に居ても確認でき、安心であると共にいわゆる見守り介護ができる。  
窓（開口部建材）１Ａは、例えば、掃除や換気のため２日に一度は開閉していたが、３日経っても操作されず、旅行など長期不在の予定も聞いていない場合には、体調不良で寝込んでいるか、倒れて動けない状態が予想されるので、異常と判断することができる。  
更に、通信端末５９を保有している家族や家主は、離れて暮らす祖父母や父母が、窓（開口部建材）１のクレセント３（錠）を１日又は２日たっても操作しないという、日常の生活リズムから逸脱した大きな変化を確認でき、電話連絡などの手段により早期に安否を確認でき、安全である。  
サービスサーバ６１が、役所担当者や民生委員、地域包括センター職員等の場合には、地域に住む高齢者が日々変わりなく暮らしていることを、各家を訪問しなくても確認でき、役所担当者等の負担軽減を図ることができる。特に、役所担当者や民生委員、地域包括センター職員等は、日常の生活リズムから逸脱した大きな変化を異常と認知し、早期に訪問確認でき、早期対応を図ることができる。
【００２５】
図７に示すように、コントローラ５３は屋内に設けてあり、通信制御部３７から受けた施解錠信号を通信端末５９に送信するので、通信端末５９を保持する家主等は自宅にいなくても施解錠状態の変化を通信端末５９で容易に確認できる。  
通信制御部３７の電力源は、太陽電池４０なので、電池交換がなくメンテナンス性に優れている。  
サービスサーバ６１では、管理サーバ５７を通じて、クレセント３の施解錠状態を確認できるので、サービスサーバ６１を保持する警備会社や住宅管理会社等は、遠隔であっても戸締り管理が容易にできる。
【００２６】
クレセント３は、他方側カバー７にマグネットセンサ３５が設けてあり、係合部４７を台座１１に係合するだけでマグネットセンサ３５を容易に位置決めできるので、取り付け作業が容易である。  
一方側カバー５で、台座１１の一方側ネジ１９ａを隠し、他方側カバー７の係合部４７で台座１１の他方側ネジ１９ｂを隠しているので、クレセント３の外観が良い。
【００２７】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図９〜図１１及び図７を参照して本発明の第２実施の形態を説明する。第２実施の形態にかかる開口部装置１は、開口部建材１Ｂがドアであり（図１１参照）、錠３は電気錠であり、施解錠検知部６３はドア電気錠６３に有線で接続されており（図９参照）、ドアの施錠及び解錠を検知する。尚、図７において、ステップＳ１で施解錠操作されたか否かの判断は、ドアの施解錠操作である。また、第２実施の形態では、ドアは玄関ドアである。また、図７において、ステップＳ２３の設定日数は、居住者の日常生活において、ドアを開ける頻度であり、例えば、買い物やゴミ出しのため１日１回は玄関ドアから出入りすることをヒアリング等で確認して、設定日数を１日に設定する。
【００２８】
図１０に示すように、戸締り管理システム５１の制御フローでは、ステップＳ０―１でドアの施解施検知部６４（図１２参照）で状態変化を検知すると、ステップＳ１−１で施解錠情報信号をコントローラ５３（図１２参照）に発信する。また、ステップＳ２−１で施解錠検知部６４では、施錠状態にあるか解錠状態にあるかを状態変化の有無にかかわらず、定時発信する。  
そして、コントローラ５３、管理サーバ５７、通信端末５９及びサービスサーバ６１（図１２参照）では、第１実施形態と同様に、ステップＳ３〜ステップＳ９、ステップＴ１〜ステップＴ５の制御フローを行う。
【００２９】
この第２実施の形態では、ドア（開口部建材）１Ｂについて、その施解錠の状態及び開閉の有無を検知できる。  
図１０に示すように、ドアの施解錠検知部６４は、施解錠状態が変わったとき（ステップＳ０、ステップＳ１）及び所定時間毎（ステップＳ２）に施解錠状態を送信しており、コントローラ５３は、所定時間内に施解錠操作された回数又は変化の有無を所定時間ごとに通信端末５９（図１２参照）に送信している（ステップＳ９）から、ドア１Ｂについて、通信端末保持者５９は常時正確な施解錠状態を把握できる。  
コントローラ５３は、玄関ドア１Ｂの施解錠状態に変化があったときに通信端末５９に送信している（ステップＳ９）から、通信端末保持者５９は玄関ドア１Ｂの施解錠状態の変化を把握できるので、戸締り管理が安心である。
【００３０】
制御部５３ｅ（図１２参照）において判断する居住者の状態判断フロー（図７参照）では、買い物やゴミ出しのため１日１回は開閉されていた玄関ドア１Ｂが、昨日から１度も操作が無く、旅行など長期不在の予定も聞いていないので、体調不良で寝込んでいるか、倒れて動けない状態が予想され、異常と判断することができる。  
更に、通信端末５９を保有している家族や家主は、離れて暮らす祖父母や父母が、窓（開口部建材）１のドア１Ｂを１日又は２日たっても開閉操作しないという、日常の生活リズムから逸脱した大きな変化を確認でき、電話連絡などの手段により早期に安否を確認でき、安全である。  
サービスサーバ６１が、役所担当者や民生委員、地域包括センター職員等の場合には、地域に住む高齢者が日々変わりなく暮らしていることを、各家を訪問しなくても確認でき、役所担当者等の負担軽減を図ることができる。特に、役所担当者や民生委員、地域包括センター職員等は、日常の生活リズムから逸脱した大きな変化を異常と認知し、早期に訪問確認でき、早期対応を図ることができる。  
図９に示すように、コントローラ５３は屋内に設けてあり、通信制御部３７から受けた施解錠信号を通信端末５９に送信するので、通信端末５９を保持する家主等は自宅にいなくても施解錠状態の変化を通信端末５９で容易に確認できる。
【００３１】
図１２〜図１４及び図７を参照して、本発明の第３実施の形態を説明する。この第３実施形態は、第１実施形態と第２実施形態を合わせた実施形態である。即ち、第３実施の形態にかかる開口部装置１は、第１実施の形態と同様に、開口部建材１Ａが窓であり（図１４参照）、窓の錠はクレセント３であり、第２実施の形態と同様に開口部建材１Ｂはドアであり（図１４参照）、ドアの錠３は電気錠であり、施解錠検知部６３はドア電気錠６３に有線で接続されており（図１２参照）、コントローラ５３は、全ての窓１Ａ及びドア１Ｂの施錠及び解錠を検知している。  
図１３に示すように、戸締り管理システム５１の制御フローでは、いずれかの窓１Ａにおいて、ステップＳ１で窓の施解施検知部３５で状態変化を検知すると、ステップＳ１で施解錠情報信号をコントローラ５３に発信する。また、ステップＳ２で全ての窓１Ａについて、施解錠検知部３５では、施錠状態にあるか解錠状態にあるかを状態変化の有無にかかわらず、コントローラ５３に定時発信する。
【００３２】
また、ドアの施解錠検知部６４では、ステップＳ０−１でドアの施解施状態の変化を検知すると、ステップＳ１−１で施解錠情報信号をコントローラ５３に発信する。また、ステップＳ２−１で施解錠検知部６４では、施錠状態にあるか解錠状態にあるかを状態変化の有無にかかわらず、コントローラ５３に定時発信する。  
そして、コントローラ５３、管理サーバ５７、通信端末５９及びサービスサーバでは、第１実施形態及び第２実施形態と同様に、ステップＳ３〜ステップＳ９、ステップＴ１〜ステップＴ５の制御フローを行う。
【００３３】
尚、図７に示す居住者の状態の判断フローにおいて、ステップＳ１で施解錠操作されたか否かの判断は、窓１Ａのクレセント（錠）３の施解錠操作及びドア１Ｂの電気錠（錠）６３の施解錠操作の少なくとも一つの錠の施解錠操作がされたか否かを判断する。
【００３４】
この第３実施形態は、上述した第１実施形態に係る窓（開口部建材）の施解錠状態と、第２実施形態に係るドア（開口部建材）の施解錠状態の両方を検知して、各施解錠情報に基づく制御をするので、上述した第１実施形態と第２実施形態の両方の効果を奏することができる。
【００３５】
本発明は、上述した実施の形態に限らず、本発明の要旨を逸脱しない範囲で種々変形可能である。  
例えば、クレセント３は、一方側カバー５を台座１１の上に配置して、他方側カバー７を台座１１の下側に配置して、操作部１３が解錠位置にあることを検知しても良い。  
一方側カバー５と他方側カバー７とは、台座１１の上下に配置することに限らず、例えば台座１１が左右にネジ止め部２１ａ、２１ｂを有する上げ下げ窓のような場合には、左右に配置するものであっても良い。  
窓１Ａは、引き違い窓に限らず、片引き窓であっても良い。  
ドア１Ｂは、玄関ドアに限らず、勝手口ドアや部屋を仕切るドアであっても良い。
【符号の説明】
【００３６】
１Ａ    窓（開口部建材）
１Ｂ    ドア（開口部建材）
３    クレセント（錠）
３５  マグネットセンサ（施解錠検知部）
５３  コントローラ
５３ｅ  制御部
５３ｆ  通信部
５９    通信端末
６３  ドア電気錠（錠）
【図１】
2020159182.tif 000003
【図２】
2020159182.tif 000004
【図３】
2020159182.tif 000005
【図４】
2020159182.tif 000006
【図５】
2020159182.tif 000007
【図６】
2020159182.tif 000008
【図７】
2020159182.tif 000009
【図８】
2020159182.tif 000010
【図９】
2020159182.tif 000011
【図１０】
2020159182.tif 000012
【図１１】
2020159182.tif 000013
【図１２】
2020159182.tif 000014
【図１３】
2020159182.tif 000015
【図１４】
2020159182.tif 000016